(57)【要約】【課題】スピーカ等の振動源を備えた機器において、共振を良好に抑制することができる筐体構造を有する機器及び鍵盤楽器を提供する。【解決手段】スピーカ等の振動源が取り付けられる電子鍵盤楽器１００の筐体について、予め固有振動解析を実施して固有振動における共振位置や領域を特定し、その共振の程度に応じて、剛性の異なるハニカム構造を有するリブを配置する。固有振動解析による筐体の共振による振動が大きい領域に対しては、小さいサイズの多角形リブをハニカム配列することにより筐体の剛性をより高める。また、共振による振動が比較的小さい領域に対しては、大きいサイズの多角形リブをハニカム配列することにより筐体の剛性を適度に高める。【選択図】図４
2020190691.tif 000002
【特許請求の範囲】
【請求項１】
振動源のスピーカと、
前記スピーカが収納されているケースであって、内側に、前記スピーカの振動による共振を抑制するための複数の多角形リブが配置されている領域を有するケースと、
を備え、
前記複数の多角形リブが配置されている領域は、第１サイズの多角形を有する複数の第１多角形リブが配置されている第１領域と、前記第１領域の外側に、前記第１サイズよりも大きい第２サイズの多角形を有する複数の第２多角形リブが配置されている第２領域と、を含む機器。
【請求項２】
前記ケースは、内側に、前記複数の第１多角形リブと前記複数の第２多角形リブとをそれぞれ接続する複数の接続リブ、を有する、
請求項１に記載の機器。
【請求項３】
前記複数の接続リブは、或る第１多角形リブの前記多角形の頂点から、或る第２多角形リブの前記多角形の１辺の中間点に向かって伸びている、
請求項２に記載の機器。
【請求項４】
前記複数の多角形リブは、正六角形状に結合されたリブを含む、
請求項１から３のいずれかに記載の機器。
【請求項５】
鍵盤と、
前記鍵盤における鍵の前後方向の後ろ側に配置されている振動源のスピーカと、
前記スピーカが収納されているケースであって、内側に、前記スピーカの振動による共振を抑制するための複数の多角形リブが配置されている領域を有するケースと、
を備え、
前記複数の多角形リブが配置されている領域は、第１サイズの多角形を有する複数の第１多角形リブが配置されている第１領域と、前記第１領域の外側に、前記第１サイズよりも大きい第２サイズの多角形を有する複数の第２多角形リブが配置されている第２領域と、を含む鍵盤楽器。
【請求項６】
前記ケースは、上ケースと、下ケースと、を有し、
前記スピーカは、前記上ケース側に固定されており、
前記複数の多角形リブは、前記上ケースの外周のなかの一部の、前記スピーカと前記鍵盤との間の領域に配置されている、
請求項５に記載の鍵盤楽器。
【請求項７】
前記下ケースにおける前記鍵の配列方向の高音側及び低音側のいずれか一方に、電池を収納するための電池ボックスが設けられ、いずれか他方に、前記複数の多角形リブが設けられている、
請求項５または６に記載の鍵盤楽器。
【発明の詳細な説明】
【技術分野】
【０００１】
この発明は、スピーカ等の振動源を備えた機器及び鍵盤楽器に関する。
【背景技術】
【０００２】
従来、電子楽器やスピーカボックス等の音響機器において、スピーカによる放音時の音圧により楽器や音響機器のケースが共振を生じ、再生音の音質に影響を及ぼす場合があった。このような問題の解決手法として、楽器や音響機器のケース部材にハニカム構造の補強リブを設けたものが知られている。例えば特許文献１には、スピーカ取付板の一面（外面又は内面）側、或いは、両面側に、均一又は不均一な大きさのセルを配列したハニカム構造を設けたスピーカボックスが記載されている。
【先行技術文献】
【特許文献】
【０００３】
【特許文献１】実開昭５６−１１６７９２号公報
【発明の概要】
【発明が解決しようとする課題】
【０００４】
上述した特許文献１においては、スピーカ取付板に取り付けられたスピーカの周囲にハニカム構造を設けることにより、ケースの共振を抑制することが記載されている。ここで、ハニカム構造については、スピーカ取付板の一面側又は両面に設ける点、及び、均一又は不均一な大きさのセルを配列する点のみが開示されているにすぎない。そのため、ハニカム構造を設けたケースについて、共振をより良好に抑制するために、更なる改善の余地があった。
【０００５】
本発明は、スピーカ等の振動源を備えた機器において、共振を良好に抑制することができる筐体構造を有する機器及び鍵盤楽器を提供することを目的とする。
【課題を解決するための手段】
【０００６】
本発明に係る機器は、
振動源のスピーカと、
前記スピーカが収納されているケースであって、内側に、前記スピーカの振動による共振を抑制するための複数の多角形リブが配置されている領域を有するケースと、
を備え、
前記複数の多角形リブが配置されている領域は、第１サイズの多角形を有する複数の第１多角形リブが配置されている第１領域と、前記第１領域の外側に、前記第１サイズよりも大きい第２サイズの多角形を有する複数の第２多角形リブが配置されている第２領域と、を含むことを特徴とする。
【発明の効果】
【０００７】
この発明によれば、スピーカ等の振動源を備えた機器において、共振を良好に抑制することができる。
【図面の簡単な説明】
【０００８】
【図１】本発明に係る鍵盤楽器の一実施形態を示す外観図である。
【図２】第１の実施形態に係る鍵盤楽器の内部構造の一例を示す断面図である。
【図３】第１の実施形態に係る鍵盤楽器の組み付け構造の一例を示す概略図である。
【図４】第１の実施形態に係る鍵盤楽器の上ケースに適用されるスピーカパネルの一例を示す概略図である。
【図５】第１の実施形態に適用される共振抑制部を説明するための概略図である。
【図６】スピーカパネルにおける固有振動解析の結果を示す図である。
【図７】第１の本実施形態に適用される共振抑制部の他の例を示す平面図である。
【図８】第２の実施形態に係る鍵盤楽器の内部構造の一例を示す断面図である。
【図９】第２の実施形態に係る鍵盤楽器の組み付け構造の一例を示す概略である。
【図１０】第２の実施形態に係る鍵盤楽器の下ケースに適用される共振抑制部の一例を示す概略図である。
【図１１】第３の実施形態に係る鍵盤楽器に適用されるスピーカパネルの一例を示す概略図である。
【発明を実施するための形態】
【０００９】
以下、本発明を実施するための形態について、図面を参照しながら詳しく説明する。本実施形態においては、本発明に係る機器及び鍵盤楽器の一例として電子鍵盤楽器を示して説明する。
【００１０】
＜第１の実施形態＞
（電子鍵盤楽器）
図１は、本発明に係る鍵盤楽器の一実施形態を示す外観図であり、図２は、第１の実施形態に係る鍵盤楽器の内部構造の一例を示す断面図である。また、図３は、本実施形態に係る鍵盤楽器の組み付け構造の一例を示す概略図である。図３Ａは、鍵盤楽器の上ケースと下ケースとの組み付け構造の一例を示す概略図であり、図３Ｂは、上ケースの楽器内部側を示す概略図である。
【００１１】
本実施形態に係る電子鍵盤楽器１００は、例えば図１、図２に示すように、大別して、上ケース１１０と、下ケース１２０と、鍵盤ユニット１４０とを有している。上ケース１１０及び下ケース１２０は、図１に示すように、鍵盤ユニット１４０における鍵１４２の配列方向（図面左右方向）に長手方向が延在するとともに、鍵盤ユニット１４０の各鍵１４２が露出する形状を有している。
【００１２】
具体的には、上ケース１１０は、鍵盤ユニット１４０に対して鍵１４２の前後方向の後方側（図１の上下方向の上側）に配置されたセンターパネル１３０と、センターパネル１３０に対して鍵１４２の配列方向の両端側（すなわち、高音側及び低音側）に配置された一対のスピーカパネル１１２と、を有している。
【００１３】
ここで、スピーカパネル１１２は、鍵盤ユニット１４０の後方側から、鍵盤ユニット１４０の左方側及び右方側となる電子鍵盤楽器１００の前方側（図１の下側）に至る位置にまで延在する形状を有している。スピーカパネル１１２の楽器内部側（下ケース１２０への組み付け側）には、図２に示すように、楽音を発音するスピーカ１１４が取り付けられている。また、スピーカパネル１１２には、スピーカ１１４の放音面を保護するためのメッシュ状のスピーカグリル１１６が設けられている。また、センターパネル１３０には、音量調整や音色選択等の操作を行うためのスイッチ類１３２や、演奏中の楽曲に関する情報や各種の設定情報等を表示するための表示パネル１３４等が設けられている。
【００１４】
下ケース１２０は、図２に示すように、上記の上ケース１１０が組み付けられることにより、スピーカ１１４等が収納された楽器内部の空間が形成される。また、下ケース１２０は、鍵盤ユニット接続部１４４を介して、鍵盤ユニット１４０が接続されている。
【００１５】
鍵盤ユニット１４０は、ユーザ側となる前方側（図１の下側）に演奏操作子としての複数の鍵１４２を有し、ユーザが押鍵操作を行うことにより音高が指定される。鍵盤ユニット１４０は、図１に示すように、電子鍵盤楽器１００の長手方向（図面左右方向）に複数の白鍵及び黒鍵が規則的に配列され、図２に示すように、鍵盤ユニット接続部１４４を介して下ケース１２０に接続されている。鍵盤ユニット１４０は、上ケース１１０から露出した前方側の鍵盤部分がユーザによる押鍵操作が行われる領域となり、後方側の鍵盤ユニット接続部１４４が上ケース１１０と下ケース１２０により形成される楽器内部に収納される。また、鍵盤ユニット１４０の左方側及び右方側は、上述した上ケース１１０のスピーカパネル１１２により覆われている。
【００１６】
このような電子鍵盤楽器１００は、例えば図３Ａに示すように、鍵盤ユニット接続部１４４を介して接続された下ケース１２０及び鍵盤ユニット１４０に対して、鍵盤ユニット１４０の各鍵１４２が露出するように上ケース１１０が組み付けられる。ここで、上ケース１１０の左方側及び右方側に配置されるスピーカパネル１１２の楽器内部側には、例えば図３Ｂに示すように、振動源であるスピーカ１１４が取り付けられている。このようなスピーカパネル１１２は、図３Ａに示すように、下ケース１２０及び鍵盤ユニット１４０の楽器内部側（図面上面側）にそれぞれ設けられたスピーカパネル接続部１２４、１４６において、ビス止め等により下ケース１２０及び鍵盤ユニット１４０に組み付け固定される。図３Ａに示す電子鍵盤楽器１００の組み付け構造においては、スピーカパネル接続部１２４、１４６として、例えばネジ挿入用穴を備えたパネル組み付けボスがそれぞれ複数箇所に設けられている。
【００１７】
図４は、本実施形態に係る鍵盤楽器に適用されるスピーカパネルの一例を示す概略図である。図４Ａは、スピーカパネルの楽器内部側を示す概略図であり、図４Ｂは、本実施形態に適用される共振抑制部の一例を示す概略図である。また、図５は、本実施形態に適用される共振抑制部を説明するための概略図である。図５Ａは、共振抑制部の基本構造を示す平面図であり、図５Ｂは、共振抑制部の要部を示す拡大図である。
【００１８】
上述した上ケース１１０のスピーカパネル１１２の楽器内部側には、例えば図４Ａに示すように、下ケース１２０及び鍵盤ユニット１４０にそれぞれ設けられたスピーカパネル接続部１２４、１４６に対応する位置に、ネジ穴を備えたパネル組み付けボスからなるパネル側接続部１１８が複数箇所に設けられている。これらのパネル側接続部１１８は、下ケース１２０及び鍵盤ユニット１４０のスピーカパネル接続部１２４、１４６にビス止め等により締結固定される。
【００１９】
加えて、本実施形態においては、例えば図３Ｂ及び図４に示すように、スピーカパネル１１２の特定の領域に、スピーカ１１４の発音動作に伴う音圧により発生するスピーカパネル１１２の共振を抑制するための共振抑制部１５０が設けられている。ここで、共振抑制部１５０は、例えば図４Ａに示すスピーカパネル１１２においては、スピーカ１１４（又は、スピーカグリル１１６）が取り付けられる領域と、図１、図３に示した鍵盤ユニット１４０が収納される側の端部ＥＤとの間の領域であって、端部ＥＤの延在方向（図面左右方向）の略中央付近を含む領域（詳しくは後述する）に設けられる。
【００２０】
共振抑制部１５０は、具体的には、例えば図４Ｂ及び図５Ａに示すように、リブを正六角形状に結合して形成される複数の多角形リブがハニカム配列された構造を有している。ここで、共振抑制部１５０は、内部領域（図中、点線円の内側の領域）Ｒｃと、その周囲（図中、点線円の外側の領域）の外周領域Ｒｐとを有している。内部領域Ｒｃには、第１サイズの多角形を有する多角形リブである、複数の第１セル１５２がハニカム配列されている。また、外周領域Ｒｐには、第１サイズよりも大きい第２サイズの多角形を有する多角形リブである、複数の第２セル１５４がハニカム配列されている。
【００２１】
本実施形態においては、図５Ａに示すような共振抑制部１５０の全体、もしくは、図４Ｂに示すように、少なくとも内部領域Ｒｃ及び外周領域Ｒｐのそれぞれの一部分が、樹脂成形等によりスピーカパネル１１２と一体的に形成される。また、本実施形態においては、共振抑制部１５０に適用される第１セル１５２及び第２セル１５４の大きさや配置、相互の接続構造について、次のように設定される。
【００２２】
まず、第１セル１５２及び第２セル１５４の大きさ（一辺の長さや面積）は、共振抑制部１５０が設けられるスピーカパネル１１２の形状や寸法、下ケース１２０及び鍵盤ユニット１４０への組み付け固定位置、スピーカ１１４の仕様等に応じて設定される。具体的には、これらの諸条件に基づいて、対象物であるスピーカパネル１１２の固有振動周波数（共振周波数）と共振時の形状変化を把握するための固有振動解析（モーダル解析ともいう；実例については後述する）を行う。そして、その解析の結果（振動の広がりや大きさを含む共振の程度）に応じて第１セル１５２及び第２セル１５４の大きさ（サイズ）を設定する。
【００２３】
また、共振抑制部１５０は、図５Ｂに示すように、内部領域Ｒｃの第１セル１５２が、外周領域Ｒｐの第２セル１５４に対して、図面の平面内で例えば３０°回転した状態になるように配置されている。すなわち、第１セル１５２の頂点方向（正六角形の対向する頂点同士、又は、中心点と頂点を通る直線の延在方向；図中、一点鎖線で表記、以下同じ）Ｄｃが、第２セル１５４の頂点方向Ｄｐと一致せず、３０°回転した異なる方向を有するように設定されている。
【００２４】
さらに、共振抑制部１５０は、図５Ｂ中の点線円に示すように、各第１セル１５２と、各第２セル１５４と、を接続する全ての接続点において、リブが３方向から交わるように設計されている。具体的には、或る第１セル１５２Ａの頂点から或る第２セル１５４Ａの一辺のリブ１５４ｓの途中の接続点Ｐｃ（例えば中間点）に向かって、図面の左側から右側に延びるリブ１５６の第１方向Ｄ１と、第２セル１５４Ａの一辺のリブ１５４ｓにおいて接続点Ｐｃに向かって、図面の上側から下側に向かう第２方向Ｄ２と、リブ１５４ｓにおいて接続点Ｐｃに向かって、図面の下側から上側に向かう第３方向Ｄ３と、の３方向からリブ１５４ｓ及びリブ１５６が交わるように接続されている。別の表現で説明すれば、共振抑制部１５０は、接続点Ｐｃにおいて、内部領域Ｒｃの第１セル１５２の頂点に接続するリブ１５６が、外周領域Ｒｐの第２セル１５４の一辺であるリブ１５４ｓに対して垂直（９０°）に接続するように形成されている。
【００２５】
このような構成を有することにより、共振抑制部１５０は、一例として、内部領域Ｒｃの第１セル１５２と外周領域Ｒｐの第２セル１５４とにおける多角形の一辺の長さの比が１：２（又は、１：２ｎ、ｎは正の整数）、面積比の場合には１：４（又は、１：（２ｎ）２）になるように、それぞれの大きさが設定される。この場合の共振抑制部１５０の具体例としては、第１セル１５２における多角形の一辺の長さが３mm、第２セル１５４における多角形の一辺の長さが６mmに設定される。なお、第１セル１５２及び第２セル１５４における辺を形成するリブの厚みや高さは、それぞれ同一に設定され、例えば厚みが１mm、高さが５mmに設定される。
【００２６】
次に、共振抑制部１５０に適用される第１セル１５２及び第２セル１５４の大きさや配置について、実例を示して詳しく説明する。
【００２７】
本実施形態においては、スピーカパネル１１２の形状や寸法、下ケース１２０及び鍵盤ユニット１４０への組み付け固定位置を、解析条件とするシミュレーションモデルを設定して固有振動解析（モーダル解析）を行った。ここでは、スピーカパネル１１２の形状として、パネルの全体形状や、パネル端部の折り返し、補強リブの形状や配置等を解析条件として設定した。また、パネルの寸法として、パネルの全長や全幅、板厚等を、また、組み付け固定位置として、パネル側接続部１１８の設置位置を、それぞれ解析条件として設定した。これにより、本願発明者は、電子鍵盤楽器１００に含まれる上ケース１１０及び下ケース１２０に対して、固有振動周波数と、その周波数における共振による振動の大きい箇所と、を把握し、第１セル１５２及び第２セル１５４の大きさ及び配置を検証した。
【００２８】
図６は、スピーカパネルにおける固有振動解析の結果を示す図である。図６Ａは本実施形態に係る共振抑制部を設けていないスピーカパネル（比較例）における解析結果を示す概略図であり、図６Ｂは本実施形態に係る共振抑制部を設けたスピーカパネルにおける解析結果を示す図である。ここで、図６Ａ、図６Ｂにおいては、固有振動解析の結果に関連するスピーカパネルの主要部のみを示す。また、図６Ａにおいては、本実施形態に係る共振抑制部の構成と対応付けるために、同等の符号を付して示す。
【００２９】
まず、本実施形態に係る共振抑制部を設けていないスピーカパネル（比較例）においては、上記の解析条件に基づく固有振動解析により、図６Ａに示すように、鍵盤ユニット１４０の鍵盤ユニット接続部１４４が収納される側の端部ＥＤｐの略中央付近ＲＳ（距離Ｌ１≒Ｌ２となる位置）を中心にして激しい共振が生じることが判明した。
【００３０】
具体的には、スピーカパネル１１２ｐは、鍵盤ユニット１４０が収納される側（図面下方側）の端部ＥＤｐを除く周縁部（図面上側及び左右側）に設けられたパネル側接続部１１８において、下ケース１２０及び鍵盤ユニット１４０に組み付け固定される。また、スピーカパネル１１２ｐは、上記の端部ＥＤｐを除く周縁部に、パネルの強度を補強するためのパネル部材の折り曲げ部１１２ｓや補強リブ１１２ｒが設けられている。一方、スピーカパネル１１２ｐの端部ＥＤｐは、鍵盤ユニット１４０を収納するため、周縁部のような背の高い折り曲げ部１１２ｓや補強リブ１１２ｒが設けられていない肉薄のパネル部材で構成されている。
【００３１】
そのため、スピーカパネル１１２ｐは、パネル側接続部１１８やパネル部材の折り曲げ部１１２ｓ、補強リブ１１２ｒが固定端となり、それらの間に位置する端部ＥＤｐの略中央付近ＲＳを中心にして激しい共振が生じる。ここで、共振の程度は、図６Ａに示すように、当該中央付近ＲＳを含む領域を共振の中心（最大共振）として、概ね同心円状に振動が伝搬して減衰するように半円状の領域が分布する。なお、図６Ａに示す固有振動解析の結果は、図示の都合上、端部ＥＤｐの略中央付近ＲＳの最大共振となる領域を最も濃いモノトーンで示し、共振の程度が小さくなるほど段階的に淡いモノトーンで示した。
【００３２】
そこで、本実施形態においては、上記の解析結果に基づいて、図４Ｂ及び図６Ｂに示すように、固有振動における共振の中心（最大共振）となる領域に、図５Ａに示した内部領域Ｒｃの細かいハニカム構造を適用して、小さいサイズ（第１サイズ）の複数の第１セル１５２をハニカム配列する。また、共振の中心領域の周囲の、同心円状に振動が減衰して広がる領域に、図５Ａに示した外周領域Ｒｐの粗いハニカム構造を適用して、大きいサイズ（第２サイズ）の複数の第２セル１５４をハニカム配列する。さらに、共振の中心領域に配列される第１セル１５２と、共振の中心領域の周囲に配列される第２セル１５４との頂点方向が一致しないように回転させた状態に設定する。
【００３３】
このような共振抑制部１５０が設けられたスピーカパネル１１２においては、上記の解析条件に基づく固有振動解析により、図６Ｂに示すように、図６Ａに示した場合に比較して、固有振動における最大共振の程度が低減するとともに、振動が広がる領域が縮小して、共振が抑制されることが判明した。
【００３４】
具体的には、スピーカパネル１１２の周縁部には、図６Ａに示したスピーカパネル１１２ｐと同様に、下ケース１２０及び鍵盤ユニット１４０に組み付け固定するためのパネル側接続部（固定端）１１８や、パネルの強度を補強するためのパネル部材の折り曲げ部１１２ｓや補強リブ１１２ｒが設けられている。加えて、スピーカパネル１１２のスピーカ１１４（又は、スピーカグリル１１６）が取り付けられる領域と、鍵盤ユニット１４０が収納される側（図面下方側）の端部ＥＤとの間の領域であって、端部ＥＤの略中央付近ＲＳを含む領域には、共振抑制部１５０が設けられている。ここで、共振抑制部１５０は、図６Ａに示された固有振動解析の結果に基づいて、共振の中心領域（最大共振となる領域）に細かいハニカム構造を有するリブが配置され、その周囲の振動が減衰する領域に粗いハニカム構造を有するリブが配置されている。
【００３５】
これにより、スピーカパネル１１２は、端部ＥＤにおける共振の中心領域、及び、その周囲の領域が、共振の程度に応じた剛性を有するハニカム構造のリブにより補強される。したがって、スピーカパネル１１２に設けられたパネル側接続部１１８やパネル部材の折り曲げ部１１２ｓ、補強リブ１１２ｒを固定端として、それらの間に位置する端部ＥＤに固有振動における共振が生じた場合であっても、共振の程度が低減するとともに、振動する領域が縮小して、共振が抑制される。
【００３６】
このように、本実施形態においては、スピーカ等の振動源が取り付けられる電子鍵盤楽器１００の筐体について、予め固有振動解析を実施して固有振動における共振位置や領域を特定し、その共振の程度に応じて、剛性の異なるハニカム構造を有するリブを配置する。すなわち、固有振動解析による筐体の共振による振動が大きい領域（中心領域）に対しては、小さいサイズの多角形リブ（第１セル）をハニカム配列することにより筐体の剛性をより高める。また、共振による振動が比較的小さい領域（中心領域の周囲）に対しては、大きいサイズの多角形リブ（第２セル）をハニカム配列することにより筐体の剛性を適度に高める。これにより、共振の程度に応じた剛性を有するハニカム構造を配置することができ、筐体の全体に均一なハニカム構造を有するリブを配置する場合に比較して、成形材料（樹脂材料等）の使用量や部品点数を削減して製造コストを低減しつつ、筐体全体の剛性を高めることができ、良好に共振を抑制することができる。
【００３７】
また、本実施形態においては、筐体の共振の程度に応じて中心領域とその周囲に、それぞれハニカム配列される多角形リブ（第１セル及び第２セル）について、相互に異なる頂点方向を有するように設定する。すなわち、共振による振動が大きい領域にハニカム配列される小さいサイズの多角形リブ（第１セル）が、共振による振動が比較的小さい領域にハニカム配列される大きいサイズの多角形リブ（第２セル）に対して、頂点方向が例えば３０°回転した状態で配置される。複数の多角形リブをハニカム配列した構造を適用した筐体の補強構造においては、多角形の中心点から頂点方向と辺方向（辺に垂直な方向）とで必然的に剛性に差（方向依存性）が生じる。そこで、本実施形態においては、中心領域とその周囲に配置される多角形リブの頂点方向を異なる方向に設定することにより、筐体の剛性の方向依存性を抑制して、筐体の略全方向に対して剛性を高めることができ、良好に共振を抑制することができる。
【００３８】
また、本実施形態においては、筐体の共振の程度に応じて中心領域とその周囲に配置される、異なるサイズの多角形リブ（第１セル及び第２セル）相互の接続について、それぞれの多角形の頂点と一辺とが接続点において３方向から交わるように接続されている。すなわち、共振による振動が大きい領域にハニカム配列される小さいサイズの多角形リブの頂点が、共振による振動が比較的小さい領域にハニカム配列される大きいサイズの多角形リブの一辺の途中（例えば中間点）に、垂直に接続される。樹脂成形品において複数の辺（例えば４辺以上）が集中して交わる接続点を有する構造においては、成形時に表面が収縮により凹むヒケ等の成形不良が生じる場合がある。そこで、本実施形態においては、異なるサイズの多角形リブ相互が３方向からのリブの交わりで形成するとともに、接続されるリブ相互の交わりの角度を極力大きく設定することにより、成形不良の発生を抑制して製造コストを低減することができる。
【００３９】
なお、上述したスピーカパネル１１２ｐ、１１２の固有振動解析においては、図６Ａ、図６Ｂに示したように、スピーカパネル１１２ｐ、１１２のスピーカ取り付け部（図中、スピーカグリル１１６の位置と同じ）と端部ＥＤｐ、ＥＤとの間に、図面左右方向に延在し、パネルの撓みを防止するための補強用リブ１１６ｒが設けられたモデルを示した。本願発明者は、更なる検証の結果、このようなパネルの補強用リブ１１６ｒが設けられていない場合には、図６Ａに示した固有振動解析の結果に比較して、最大共振の程度が増大するとともに、振動する領域が拡大することを確認した。そして、この場合においても、本実施形態に係る共振抑制部１５０を設けることによりスピーカパネル１１２の共振が良好に抑制されることを確認した。
【００４０】
また、上述した実施形態においては、スピーカパネル１１２の形状や寸法、下ケース１２０及び鍵盤ユニット１４０への組み付け固定位置等を、解析条件としてシミュレーションモデルを設定して固有振動解析を行った場合について説明した。本発明は、これに限定されるものではなく、上記の条件に加えて、スピーカ１１４の仕様として、例えば、スピーカ１１４の大きさや取り付け位置、発音時の出力、スピーカ１１４が収納される楽器内部の空間の大きさ等を、解析条件として設定するものであってもよい。
【００４１】
（変形例）
次に、本実施形態に適用される共振抑制部の変形例について説明する。
図７は、本実施形態に適用される共振抑制部の他の例を示す平面図である。
【００４２】
上述した実施形態においては、共振抑制部１５０として、図５に示したように、内部領域Ｒｃにハニカム配列された第１セル１５２の各頂点と、外周領域Ｒｐにハニカム配列された第２セル１５４の一辺との接続点が、３方向からのリブの交わりにより形成されている場合について説明した。本実施形態の変形例においては、第１セル１５２と第２セル１５４との接続構造を変化させた形態を有している。
【００４３】
本実施形態の第１の変形例に適用される共振抑制部１５０は、図７Ａに示すように、内部領域Ｒｃの第１セル１５２の一部の頂点のみが、外周領域Ｒｐの第２セル１５４の一辺に接続された構造を有している。すなわち、上述した実施形態（図５）に示した接続構造に比較して、第１セル１５２と第２セル１５４との接続点の数を削減した構成を有している。これにより、複数の辺が集中する接続構造に起因する成形不良の発生を抑制することができるとともに、成形材料（樹脂材料等）の使用量を削減して製造コストを低減することができる。
【００４４】
また、本実施形態の第２の変形例に適用される共振抑制部１５０は、図７Ｂに示すように、複数の第１セル１５２がハニカム配列される内部領域Ｒｃが、外周領域Ｒｐにハニカム配列される複数の第２セル１５４に囲まれた略三角形状の領域に設定されている。そして、内部領域Ｒｃの第１セル１５２の各頂点と、外周領域Ｒｐの第２セル１５４の一辺、又は、内部領域Ｒｃと外周領域Ｒｐとの境界となる辺１５８との接続点が、３方向からのリブの交わりにより形成されている。すなわち、上述した実施形態（図５）に示した共振抑制部１５０に比較して、小さいサイズの第１セル１５２の数を削減して、内部領域Ｒｃの面積を小さくした構成を有している。これにより、共振の中心領域（最大共振となる領域）が比較的狭い場合に、当該領域に小さいサイズの複数の第１セル１５２を集中的に配置して筐体の剛性をより高めることができ、良好に共振を抑制することができる。
【００４５】
また、本実施形態の第３の変形例に適用される共振抑制部１５０は、図７Ｃに示すように、複数の第１セル１５２がハニカム配列される内部領域Ｒｃが、外周領域Ｒｐにハニカム配列される複数の第２セル１５４に囲まれた略六角形状の領域に設定されている。そして、内部領域Ｒｃの第１セル１５２の各頂点と、内部領域Ｒｃと外周領域Ｒｐとの境界となる辺１５８との接続点が、３方向からのリブの交わりにより形成されている。すなわち、上述した第２の変形例（図７Ｂ）に示した共振抑制部１５０に比較して、小さいサイズの第１セル１５２の数をさらに削減して、内部領域Ｒｃの面積をより小さくした構成を有している。これにより、共振の中心領域（最大共振となる領域）が非常に狭い場合に、当該領域に小さいサイズの複数の第１セル１５２をより集中的に配置して筐体の剛性をより高めることができ、良好に共振を抑制することができる。
【００４６】
なお、上述した実施形態においては、共振抑制部１５０として、図５及び図７に示したように、内部領域Ｒｃに小さいサイズの複数の第１セル１５２をハニカム配列し、その周囲を取り囲む外周領域Ｒｐに大きいサイズの複数の第２のセル１５４をハニカム配列した構成を示した。本実施形態においては、図６の固有振動解析の結果に示したように、共振が最大となる位置を含む領域を中心として、略同心円状に共振による振動が減衰する領域が分布するため、この分布に対応させて、各セルのハニカム配列を略同心円状に設けた場合について説明したが、本発明はこれに限定されるものではない。すなわち、筐体の共振の程度に応じて、筐体の剛性をより高めて共振を抑制する必要がある領域には、細かいハニカム構造を適用して小さいサイズの複数の第１セル１５２をハニカム配列し、筐体の剛性を適度に高めて共振を抑制する必要がある領域には、粗いハニカム構造を適用して、大きいサイズの複数の第２セル１５４をハニカム配列するものであれば、同心円状に限らず、連続するストライプ状や島状等、他の平面パターンを有しているものであってもよい。
【００４７】
＜第２の実施形態＞
次に、本発明に係る電子楽器の第２の実施形態について説明する。
図８は、第２の実施形態に係る鍵盤楽器の内部構造の一例を示す断面図であり、図９は、本実施形態に係る鍵盤楽器の組み付け構造の一例を示す概略図であり、図１０は、本実施形態に係る鍵盤楽器の下ケースに適用される共振抑制部の一例を示す概略図である。ここで、上述した第１の実施形態と同等の構成については、同一の符号を付して説明する。
【００４８】
上述した第１の実施形態においては、共振抑制部１５０として、上ケース１１０のスピーカパネル１１２にハニカム構造を有するリブを配置した場合について説明した。第２の実施形態においては、上ケース１１０が組み付けられる下ケース１２０の特定の領域に、ハニカム構造を有するリブが配置されている。
【００４９】
第２の実施形態に係る電子鍵盤楽器１００は、上述した第１の実施形態と同様に、図１に示したような外観を有するとともに、例えば図８に示すような内部構造、及び、図９に示すような組み付け構造を有している。すなわち、電子鍵盤楽器１００は、鍵盤ユニット１４０が、鍵盤ユニット接続部１４４を介して下ケース１２０に接続され、当該下ケース１２０及び鍵盤ユニット１４０に対して、鍵盤ユニット１４０の各鍵１４２が露出するように上ケース１１０が組み付けられている。
【００５０】
そして、本実施形態に係る電子鍵盤楽器１００においては、図８及び図９に示すように、下ケース１２０の特定の領域に、上ケース１１０のスピーカパネル１１２に取り付けられたスピーカ１１４の発音動作に伴う音圧により発生する下ケース１２０の共振を抑制するための共振抑制部１５０が設けられている。ここで、共振抑制部１５０は、例えば図９に示す下ケース１２０においては、鍵盤ユニット接続部１４４の取り付け側の端部ＥＤｂに沿う領域であって、図１に示したセンターパネル１３０とスピーカパネル１１２との境界付近に対向する領域に設けられる。
【００５１】
共振抑制部１５０は、具体的には、例えば図１０に示すように、上述した第１の実施形態において図５又は図７に示した構成と同様に、小さいサイズ（第１サイズ）の複数の第１セル１５２がハニカム配列された内部領域Ｒｃと、その周囲に、大きいサイズ（第２サイズ）の複数の第２セル１５４がハニカム配列された外周領域Ｒｐとを有している。
【００５２】
そして、本実施形態においても、内部領域Ｒｃの第１セル１５２及び外周領域Ｒｐの第２セル１５４の大きさや配置、相互の接続構造については、上述した実施形態と同様に設定されている。すなわち、下ケース１２０について、固有振動解析（モーダル解析）を行い、最大共振となる領域に、小さいサイズ（第１サイズ）の複数の第１セル１５２をハニカム配列し、その周囲の共振による振動が減衰する領域に、大きいサイズ（第２サイズ）の複数の第２セル１５４をハニカム配列する。これにより、共振の程度に応じて、下ケース１２０の剛性を高めることができ、良好に共振を抑制することができる。
【００５３】
なお、本実施形態においては、図９に示したように、下ケース１２０の図面右側（鍵盤ユニット１４０における鍵１４２の配列方向の高音側）のスピーカ寄りの領域に共振抑制部１５０を設けた形態を示した。これは、下ケース１２０の図面左側（鍵盤ユニット１４０における鍵１４２の配列方向の低音側）のスピーカ寄りの領域に電池ボックス１２８が設けられていることにより、固有振動解析の結果、下ケース１２０の図面左方側の剛性が高められているため、共振抑制部１５０を設ける必要がなかったものである。すなわち、本実施形態に示した電池ボックス１２８に限らず、固有振動解析の結果、共振が抑制される程度の剛性を有する構造体が設けられている領域については、共振抑制部１５０を設ける必要がなく、剛性が低く共振による振動が大きい領域に対してのみ、共振抑制部１５０が設けられる。
【００５４】
＜第３の実施形態＞
次に、本発明に係る電子楽器の第３の実施形態について説明する。
図１１は、第３の実施形態に係る鍵盤楽器に適用されるスピーカパネルの一例を示す概略図である。図１１Ａは、スピーカパネルの楽器内部側を示す概略図であり、図１１Ｂは、本実施形態に適用される共振抑制部の一例を示す概略図である。ここで、上述した各実施形態と同等の構成については、同一の符号を付して説明する。
【００５５】
上述した各実施形態においては、共振抑制部１５０として、大小２種類のサイズの多角形リブからなるセルを有し、共振の中心領域に小さいサイズの複数の第１セル１５２をハニカム配列し、その周囲に大きいサイズの複数の第２セル１５４をハニカム配列した構造について説明した。第３の実施形態においては、共振抑制部１５０として、３種類以上のサイズの多角形リブからなるセルを有し、共振の程度に応じてセルの大きさや配置を設定した構造を有している。
【００５６】
第３の実施形態に係る電子鍵盤楽器１００に適用される共振抑制部１５０は、例えば図１１Ａに示すスピーカパネル１１２においては、スピーカ１１４（又は、スピーカグリル１１６）が取り付けられる領域と、鍵盤ユニット１４０が収納される側の端部ＥＤとの間の領域であって、端部ＥＤの延在方向（図面左右方向）の略中央付近を含む領域に、大中小の３種類の異なる大きさのセルがそれぞれハニカム配列されている。
【００５７】
共振抑制部１５０は、具体的には、例えば図１１Ｂに示すように、内部領域（図中、点線円の内側の領域）Ｒｃと、内部領域Ｒｃの周囲の外周領域Ｒｐと、外周領域Ｒｐのさらに外周側の外縁領域Ｒｘと、を有している。上述した各実施形態と同様に、内部領域Ｒｃには、小さいサイズ（第１サイズ）の複数の第１セル１５２がハニカム配列され、外周領域Ｒｐには、第１セル１５２よりも大きいサイズ（第２サイズ）の複数の第２セル１５４がハニカム配列されている。さらに、外縁領域Ｒｘには、第２セル１５４よりも大きいサイズ（第３サイズ）の複数の第３セル１６０がハニカム配列されている。
【００５８】
そして、本実施形態においても、内部領域Ｒｃの第１セル１５２、外周領域Ｒｐの第２セル１５４及び外縁領域Ｒｘの第３セル１６０の大きさや配置、相互の接続構造については、上述した実施形態と同様に設定されている。すなわち、スピーカパネル１１２について、図６に示したような固有振動解析を行い、最大共振となる領域に、小さいサイズ（第１サイズ）の複数の第１セル１５２をハニカム配列し、その領域の周囲に隣接し、共振による振動が減衰する領域に、第１セル１５２よりも大きいサイズ（第２サイズ）の複数の第２セル１５４をハニカム配列する。その領域のさらに外周側に隣接し、共振による振動がさらに減衰する領域に、第２セル１５４よりも大きいサイズ（第３サイズ）の複数の第３セル１６０をハニカム配列する。これにより、共振の程度に応じて、スピーカパネル１１２の剛性を適切に高めることができ、良好に共振を抑制することができる。
【００５９】
なお、上述した各実施形態においては、共振抑制部を電子鍵盤楽器に適用した場合について説明したが、本発明はこれに限定されるものではない。すなわち、本発明は、振動源が取り付けられた機器において、筐体の共振による機器の機能への影響を抑制する必要がある場合に適用することができるものである。したがって、例えば鍵盤楽器以外の他の電子楽器や、スピーカボックス等の音響機器にも良好に適用することができる。
【００６０】
以上、本発明のいくつかの実施形態について説明したが、本発明は、上述した実施形態に限定されるものではなく、特許請求の範囲に記載された発明とその均等の範囲とを含むものである。
以下に、本願出願の当初の特許請求の範囲に記載された発明を付記する。
【００６１】
（付記）
［１］
振動源のスピーカと、
前記スピーカが収納されているケースであって、内側に、前記スピーカの振動による共振を抑制するための複数の多角形リブが配置されている領域を有するケースと、
を備え、
前記複数の多角形リブが配置されている領域は、第１サイズの多角形を有する複数の第１多角形リブが配置されている第１領域と、前記第１領域の外側に、前記第１サイズよりも大きい第２サイズの多角形を有する複数の第２多角形リブが配置されている第２領域と、を含む機器。
【００６２】
［２］
前記ケースは、内側に、前記複数の第１多角形リブと前記複数の第２多角形リブとをそれぞれ接続する複数の接続リブ、を有する、
［１］に記載の機器。
【００６３】
［３］
前記複数の接続リブは、或る第１多角形リブの前記多角形の頂点から、或る第２多角形リブの前記多角形の１辺の中間点に向かって伸びている、
［２］に記載の機器。
【００６４】
［４］
前記複数の多角形リブは、正六角形状に結合されたリブを含む、
［１］から［３］のいずれかに記載の機器。
【００６５】
［５］
鍵盤と、
前記鍵盤における鍵の前後方向の後ろ側に配置されている振動源のスピーカと、
前記スピーカが収納されているケースであって、内側に、前記スピーカの振動による共振を抑制するための複数の多角形リブが配置されている領域を有するケースと、
を備え、
前記複数の多角形リブが配置されている領域は、第１サイズの多角形を有する複数の第１多角形リブが配置されている第１領域と、前記第１領域の外側に、前記第１サイズよりも大きい第２サイズの多角形を有する複数の第２多角形リブが配置されている第２領域と、を含む鍵盤楽器。
【００６６】
［６］
前記ケースは、上ケースと、下ケースと、を有し、
前記スピーカは、前記上ケース側に固定されており、
前記複数の多角形リブは、前記上ケースの外周のなかの一部の、前記スピーカと前記鍵盤との間の領域に配置されている、
［５］に記載の鍵盤楽器。
【００６７】
［７］
前記下ケースにおける前記鍵の配列方向の高音側及び低音側のいずれか一方に、電池を収納するための電池ボックスが設けられ、いずれか他方に、前記複数の多角形リブが設けられている、
［５］または［６］に記載の鍵盤楽器。
【符号の説明】
【００６８】
１００    電子鍵盤楽器（機器、鍵盤楽器）
１１０    上ケース
１１２    スピーカパネル
１１４    スピーカ（振動源）
１１６    スピーカグリル
１１８    パネル側接続部
１２０    下ケース
１２４    スピーカパネル接続部
１２８    電池ボックス
１３０    センターパネル
１４０    鍵盤ユニット
１４２    鍵
１４４    鍵盤ユニット接続部
１４６    スピーカパネル接続部
１５０    共振抑制部
１５２    第１セル（第１多角形リブ）
１５４    第２セル（第２多角形リブ）
１５６    リブ（接続リブ）
Ｐｃ      接続点
Ｒｃ      内部領域（第１領域）
Ｒｐ      外周領域（第２領域）
Ｒｘ      外縁領域
【図１】
2020190691.tif 000003
【図２】
2020190691.tif 000004
【図３】
2020190691.tif 000005
【図４】
2020190691.tif 000006
【図５】
2020190691.tif 000007
【図６】
2020190691.tif 000008
【図７】
2020190691.tif 000009
【図８】
2020190691.tif 000010
【図９】
2020190691.tif 000011
【図１０】
2020190691.tif 000012
【図１１】
2020190691.tif 000013